(57)【要約】【課題】デジタル放送からアナログ放送への切り替わり時にＦＭキャプチャ現象が発生していても、ユーザに与える違和感を最小限に抑制できるようにする。【解決手段】ＩＢＯＣデジタル音声放送のアナログ放送の内容とデジタル放送の内容と比較して両者が同じ内容であるか否かを監視する比較器１５と、デジタル放送の受信強度が低下したときにアナログ放送へ切り替えるように切替スイッチ１２を制御するとともに、その切り替え時に、アナログ放送とデジタル放送とが同じ内容でないことを確認して放送内容が異なる旨を表示部８に表示するように制御するマイコン６とを設けることにより、デジタル放送からアナログ放送へ切り替わるときに、ＦＭキャプチャ現象によって放送内容が変わってしまうか否かをユーザが容易に確認できるようにする。【選択図】        図１
2004282422.tif 000002
【特許請求の範囲】
【請求項１】
アナログ変調波のサイドバンドにデジタル変調波を追加したアナログ／デジタル混在放送の受信機において、
上記デジタル変調波によるデジタル放送の再生時にデジタル受信状態が悪化した場合に上記アナログ変調波によるアナログ放送に切り替えて再生するように制御する切替制御手段と、
上記アナログ変調波の放送内容と上記デジタル変調波の放送内容と比較して両放送が同じ内容であるか否かを監視する監視手段と、
上記切替制御手段によって上記デジタル放送から上記アナログ放送への切り替えが行われる際に、上記監視手段により上記アナログ変調波の放送内容と上記デジタル変調波の放送内容とが同じでないことが検出されていた場合に、放送内容が異なることを報知する報知手段とを備えたことを特徴とするアナログ／デジタル混在放送受信機のキャプチャ処理装置。
【請求項２】
上記監視手段は、上記デジタル変調波を復調して得られた所定時間分のデジタル情報と、上記デジタル変調波よりも所定遅延分だけ遅れた上記アナログ変調波を復調するとともにサンプリングして得られた所定時間分のデジタル情報とを逐次比較することを特徴とする請求項１に記載のアナログ／デジタル混在放送受信機のキャプチャ処理装置。
【請求項３】
上記切替制御手段は、上記監視手段により上記アナログ変調波の放送内容と上記デジタル変調波の放送内容とが同じでないことが検出されていた場合に、上記デジタル放送から上記アナログ放送への切り替えを行わないように制御することを特徴とする請求項１に記載のアナログ／デジタル混在放送受信機のキャプチャ処理装置。
【請求項４】
アナログ変調波のサイドバンドにデジタル変調波を追加したアナログ／デジタル混在放送の受信機において、
上記アナログ変調波の放送内容と上記デジタル変調波の放送内容と比較して両放送が同じ内容であるか否かを監視しておき、
上記デジタル変調波によるデジタル放送の再生時におけるデジタル受信状態の悪化に応じて、上記アナログ変調波によるアナログ放送への切り替え要求が出された際に、上記アナログ変調波の放送内容と上記デジタル変調波の放送内容とが同じでないことが検出されていた場合に、放送内容が異なることをユーザに報知するようにしたことを特徴とするアナログ／デジタル混在放送受信機のキャプチャ処理方法。
【発明の詳細な説明】
【０００１】
【発明の属する技術分野】
本発明はアナログ／デジタル混在放送受信機のキャプチャ処理装置およびキャプチャ処理方法に関し、特に、アメリカの地上波デジタルラジオ放送であるＩＢＯＣ（Ｉｎ−Ｂａｎｄ  Ｏｎ−Ｃｈａｎｎｅｌ）デジタル音声放送の受信機において、デジタル放送とアナログ放送との切り替わり時におけるＦＭキャプチャ現象に対処するための装置に用いて好適なものである。
【０００２】
【従来の技術】
従来のアナログラジオ放送に比べて、デジタルラジオ放送では、高音質（デジタルＦＭではＣＤ同等、デジタルＡＭではアナログＦＭ同等）、種々のデータサービス、現在のアナログ放送波より高い受信可能性（フェージングやマルチパス環境下でも高品質な音声の受信）が期待されている。そのため、デジタルラジオ放送に関する開発が急ピッチで進められている。
【０００３】
しかしながら、アナログラジオ放送からデジタルラジオ放送への移行が完了するまでの間、放送局の多くは、使用が許可されている同じ帯域内において、アナログ放送とデジタル放送とを同時に送信する中間措置が必要である。このような中間措置に対応するシステムとして、２００３年の秋よりアメリカでサービス開始が予定されているＩＢＯＣデジタル音声放送が存在する。
【０００４】
このＩＢＯＣデジタル音声放送は、従来のアナログ放送と同じ周波数帯でデジタル放送を行うことが特徴である。すなわち、図３に示すように、既存のアナログＡＭ／ＦＭ波のサイドバンドにデジタル変調波を追加することにより、現行のアナログラジオ帯域で（Ｉｎ−Ｂａｎｄ）、現行のダイヤル位置のまま（Ｏｎ−Ｃｈａｎｎｅｌ）デジタル放送を送信する（例えば、特許文献１参照）。
【０００５】
同じ周波数帯に重畳されるアナログ放送とデジタル放送の音声部分は、共に同じ放送内容になっている。実際には、アナログ放送はこれと同じ内容のデジタル放送に比べて所定時間（ＦＭで５．４秒、ＡＭで３．５秒）だけ遅れて放送局から送信される。受信機側では、アナログ放送よりも先に届いたデジタル放送の信号が一旦記憶装置に記憶して遅延され、その後再生されるようになっている。
【０００６】
ＩＢＯＣの受信機ではこのような特徴を利用して、アナログ／デジタルのシームレス切替を行うことが可能である。例えば、通常は高品位なデジタル放送を再生するが、デジタル放送の受信が困難なエリアに入ったとき、すなわち、デジタル放送の受信強度が一定値より小さくなったときに、デジタル放送からアナログ放送へと自動的に切り替えを行う（例えば、特許文献２参照）。
【０００７】
【特許文献１】
特表２００２−５１０８９７号公報
【特許文献２】
特表２００１−５２０４７９号公報
【０００８】
【発明が解決しようとする課題】
上述のように、デジタル放送の再生時において、何らかの妨害（隣接妨害の発生や弱電界地域への侵入など）によってデジタル信号のビットレートが低下すると、同じ内容のアナログ放送の再生に自動的に切り替えられる。これにより、デジタル放送の受信状態が悪くなっても、同じ放送内容を継続して再生することが可能となる。しかしながら、ＦＭ放送を聴いているときには、以下に述べるような厄介な問題が生じることがある。
【０００９】
既存のＦＭアナログ放送には、キャプチャ現象と呼ばれるＦＭ放送特有の問題がある。すなわち、図４のように、ＦＭ放送では異なる放送局１０１，１０２が同じ周波数帯を使って異なる放送内容を送信していることがある。これら異なる放送局１０１，１０２からの電波が共に届く地域（以下、キャプチャ発生地域と呼ぶ）では、同じ周波数帯で異なる放送内容が受信されてしまう。受信される電波が複数ある場合、感度の良い方に切り替えて再生するのがＦＭ変調の特徴であるため、キャプチャ発生地域内では、異なる放送内容の音声が数秒置きに切り替わって聞こえてしまうことがある。
【００１０】
そのため、ＩＢＯＣのＦＭデジタル放送の再生時において、何らかの妨害の発生によってデジタル放送からアナログ放送へと切り替えが行われたときに、切り替え後のＦＭアナログ放送において上述のキャプチャ現象が発生していると、切り替え前のデジタル放送と同じ内容の放送でなく、別な内容の放送が再生されてしまうことになる。そのため、ユーザに大きな違和感を与えてしまうという問題があった。
【００１１】
本発明は、このような問題を解決するために成されたものであり、デジタル放送からアナログ放送への切り替わり時にＦＭキャプチャ現象が発生していても、ユーザに与える違和感を最小限に抑制できるようにすることを目的とする。
【００１２】
【課題を解決するための手段】
上記した課題を解決するために、本発明では、アナログ／デジタル混在放送の受信機において再生されたアナログ放送の内容とデジタル放送の内容と比較して両放送が同じ内容であるか否かを監視し、両放送が同じ内容でないことが検出された場合には、デジタル放送からアナログ放送への切り替え時に、放送内容が異なることをユーザに報知するようにする。
【００１３】
上記のように構成した本発明によれば、デジタル放送からアナログ放送へと切り替わるときに、ＦＭキャプチャ現象によって放送内容が変わってしまうか否かをユーザが容易に確認することが可能となる。
【００１４】
【発明の実施の形態】
以下、本発明の一実施形態を図面に基づいて説明する。
図１は、本実施形態のキャプチャ処理装置を適用したアナログ／デジタル混在放送（ＩＢＯＣ放送）受信機１００の構成例を示すブロック図である。
【００１５】
図１に示すように、本実施形態のＩＢＯＣ放送受信機１００は、アンテナ１、チューナ２、アナログ放送デコーダ３、デジタル放送デコーダ４、記憶装置５、マイクロコンピュータ（マイコン）６、操作部７および表示部８を備えて構成されている。上記アナログ放送デコーダ３は、アナログ復調回路１１、切替スイッチ１２、Ｄ／Ａ変換器１３、Ａ／Ｄ変換器１４および比較器１５を備えている。また、上記デジタル放送デコーダ４は、デジタル復調回路２１を備えている。
【００１６】
アンテナ１は、アナログ放送とデジタル放送とが同じ周波数帯に重畳されたＩＢＯＣのデジタル音声放送を受信する。チューナ２は、アンテナ１で受信したＩＢＯＣ放送波を処理して中間周波数（ＩＦ）信号に変換する。変換されたＩＦ信号は、アナログ放送デコーダ３およびデジタル放送デコーダ４に入力される。
【００１７】
アナログ放送デコーダ３の内部において、アナログ復調回路１１は、図示しない放送局でのアナログ変調方式に対応したアナログ復調方式に従ってＩＦ信号を復調し、その結果得られるアナログ情報を切替スイッチ１２の一方の入力端に出力する。
【００１８】
また、デジタル放送デコーダ４の内部において、デジタル復調回路２１は、図示しない放送局でのデジタル変調方式に対応したデジタル復調方式に従ってＩＦ信号を復調し、その結果得られるデジタル情報を記憶装置５に出力する。この記憶装置５は、タイムダイバーシティを実現するための遅延回路として機能する。つまり、記憶装置５に一旦蓄積されたデジタル情報は、一定時間の遅延を受けた後、アナログ放送デコーダ３のＤ／Ａ変換器１３に供給される。
【００１９】
Ｄ／Ａ変換器１３は、デジタル放送デコーダ４から記憶装置５を介して受け取ったデジタル情報をアナログ情報に変換し、切替スイッチ１２の他方の入力端に出力する。上述したように、ＩＢＯＣデジタル音声放送のアナログ放送部分は、これと同内容のデジタル放送部分に比べて所定時間だけ遅れて放送局から送信されている。したがって、受信機側においてデジタル情報を一定時間だけ遅延させることにより、切替スイッチ１２の両入力端には、同じ時間に同じ放送内容のアナログ情報が入力されることになる。
【００２０】
切替スイッチ１２は、ＩＢＯＣデジタル音声放送のアナログ変調波を復調して生成されたアナログ情報と、デジタル変調波を復調して更にそれをＤ／Ａ変換して生成されたアナログ情報との何れかに切り替えて、図示しない音声処理回路に出力する。この音声処理回路は、アナログ情報に対して所定の処理を行ってＰＣＭ形式のアナログ音声信号に変換するとともに、当該アナログ音声信号を増幅して図示しないスピーカから出力する。
【００２１】
上記アナログ復調回路１１より出力されたアナログ情報は、Ａ／Ｄ変換器１４にも入力される。Ａ／Ｄ変換器１４は、入力されたアナログ情報を所定のサンプリング周波数でサンプリングすることによってデジタル情報に変換し、その結果を比較器１５の一方の入力端に出力する。上記記憶装置５で一定時間の遅延を受けたデジタル情報は、比較器１５の他方の入力端にも入力される。
【００２２】
比較器１５は、記憶装置５から入力されるデジタル変調波の放送内容と、Ａ／Ｄ変換器１４から入力されるアナログ変調波の放送内容と比較することにより、両放送の内容が同じか否かを監視する。具体的には、デジタル変調波を復調して記憶装置５に蓄積された所定時間分のデジタル情報と、当該デジタル変調波よりも所定遅延分（ＦＭの５．４秒分）だけ遅れたアナログ変調波を復調するとともにサンプリングして得られた所定時間分のデジタル情報とを常時比較する。このように比較器１５は、本発明の監視手段を構成する。
【００２３】
図２は、比較器１５による比較動作をイメージ的に説明するための図である。図２（ａ）はアナログ放送の内容とデジタル放送の内容とが同じ場合（ＦＭキャプチャ現象が発生してない場合）を示し、図２（ｂ）は放送内容が異なる場合（ＦＭキャプチャ現象が発生している場合）を示している。なお、ここではイメージとして分かりやすくするために、アナログ放送もデジタル放送もアナログ波形にて示しているが、実際の比較はデジタル情報によって行われる。
【００２４】
図２（ａ）に示すように、ＦＭ放送の場合、アナログ放送はこれと同じ放送内容のデジタル放送よりも５．４秒だけ送れて送信されている。比較器１５は、あるタイミングにおいて、所定時間分のデジタル放送の内容３１と、それより５．４秒分だけ遅れた所定時間分のアナログ放送の内容３２とを比較する。図２（ａ）のようにアナログ放送とデジタル放送とが同じ内容であれば、比較器１５は一致信号を出力する。
【００２５】
一方、図２（ｂ）に示すように、ＦＭキャプチャ現象が発生してアナログ放送とデジタル放送とが異なる内容になっていると、所定時間分のデジタル放送の内容３１と、それより５．４秒分だけ遅れた所定時間分のアナログ放送の内容３３との比較の結果、比較器１５は不一致信号を出力する。比較器１５は、このような比較動作を常時行っている。
【００２６】
図１に戻り、操作部７は、受信チャンネルの切り替え操作やボリューム操作、その他の各種操作を行うためのものであり、例えばリモコンにより構成される。操作部７のコントロールデータはマイコン６に与えられ、当該マイコン６によって制御される。例えば、チャンネル切替情報はマイコン６からチューナ２に供給され、指定されたチャンネルの放送が選択的に受信される。
【００２７】
表示部８は、本放送の付随データにより示される情報（例えば、現在受信中の放送局名や放送局ジャンル名、現在視聴中の曲名やアーティスト名、ジャンル名など）や、その他の各種情報を表示するものである。表示部８に対するコントロールデータはマイコン６によって制御され、当該マイコン６から出力される。
【００２８】
マイコン６は、ＩＢＯＣ放送受信機１００の全体を制御するものである。例えば、デジタル放送の受信強度に応じてデジタル放送デコーダ４から出力される切替要求信号に基づいて、切替スイッチ１２を制御し、アナログ放送とデジタル放送との切り替えを行う。
【００２９】
すなわち、マイコン６は、通常は高品位なデジタル放送を処理して再生するように、切替スイッチ１２をデジタル放送デコーダ４側に切り替えている。これに対して、何らかの受信妨害が発生してデジタル放送の受信強度が一定値より小さくなったときには、切替スイッチ１２をアナログ放送デコーダ３側へと自動的に切り替える。このようにマイコン６は、本発明の切替制御手段を構成する。
【００３０】
このようなデジタル放送からアナログ放送への切り替えを行う際に、マイコン６は、比較器１５による比較結果を参照する。そして、アナログ放送の内容とデジタル放送の内容とが同じでないことが検出されていた場合（比較器１５から不一致信号が出力されていた場合）には、異なる放送内容に切り替わる旨を表示部８に表示してユーザに報知する。このようにマイコン６は、本発明の報知手段も構成する。
【００３１】
次に、上記のように構成した本実施形態によるＩＢＯＣ放送受信機１００の動作を説明する。アンテナ１で受信したＩＢＯＣ放送波は、チューナ２でＩＦ信号に変換され、アナログ放送デコーダ３およびデジタル放送デコーダ４に入力される。アナログ放送デコーダ３では、アナログ復調回路１１によってＩＦ信号が復調され、これにより生成されたアナログ情報が切替スイッチ１２およびＡ／Ｄ変換器１４に入力される。Ａ／Ｄ変換器１４に入力されたアナログ情報は、デジタル情報に変換されて比較器１５に入力される。
【００３２】
一方、デジタル放送デコーダ４では、デジタル復調回路２１によってＩＦ信号が復調され、これにより生成されたデジタル情報が記憶装置５に記憶されて一定時間の遅延を受ける。遅延を受けたデジタル情報は、Ｄ／Ａ変換器１３によりアナログ情報に変換されて切替スイッチ１２に入力されるとともに、デジタル情報のまま比較器１５に入力される。
【００３３】
そして、この比較器１５において、記憶装置５から入力されるデジタル変調波の放送内容と、Ａ／Ｄ変換器１４から入力されるアナログ変調波の放送内容とが常時比較される。このような比較器１５による監視が行われている中、通常は高品位なデジタル放送を再生するように、切替スイッチ１２はデジタル放送デコーダ４側に切り替えられている。しかし、何らかの受信妨害が発生してデジタル放送の受信強度が低下すると、デジタル放送デコーダ４からマイコン６に切替要求信号が出力される。
【００３４】
この切替要求信号に応じてマイコン６は、比較器１５の比較結果を参照し、アナログ放送とデジタル放送とが同じ内容であるか否かを確認する。そして、両放送が同じ内容であることを確認して、切替スイッチ１２をアナログ放送デコーダ３側に切り替える。また、両放送が同じ内容でないことを確認した場合は、切替スイッチ１２をアナログ放送デコーダ３側に切り替えるとともに、異なる放送内容に切り替わる旨を表示部８に表示してユーザに報知する。
【００３５】
以上詳しく説明したように、本実施形態によれば、ＩＢＯＣデジタル音声放送のデジタル放送とアナログ放送とが同じ内容であるか否かを常時監視しておき、デジタル放送からアナログ放送への切り替え時に両放送の内容が異なることを確認した場合には、その旨を表示してユーザに報知するようにしている。これにより、ユーザは、デジタル放送からアナログ放送へ切り替わるときに、ＦＭキャプチャ現象によって放送内容が変わってしまうか否かを容易に確認することができる。よって、ＦＭキャプチャ現象の発生によって聞こえてくる放送内容が変わってしまっても、ユーザに与える違和感を最小限に抑制することができる。
【００３６】
なお、上記実施形態では、マイコン６がデジタル放送の内容とアナログ放送の内容とが異なることを確認した場合にも、デジタル放送からアナログ放送に切り替える例について説明したが、両放送が異なっている間はアナログ放送への切替を行わないようにしても良い。この場合は、受信感度が悪いデジタル放送を再生し続けることになり、その間は無音もしくは雑音状態となる。しかし、この場合でも表示部８にメッセージを出力することにより、現在の状況をユーザに伝えることができ、ユーザに与える違和感を最小限に抑制することができる。
【００３７】
また、デジタル放送の内容とアナログ放送の内容とが異なっている場合に、ラジオ放送から別のソース再生（例えばＣＤ（Ｃｏｍｐａｃｔ  Ｄｉｓｃ）、ＭＤ（Ｍｉｎｉ  Ｄｉｓｃ）、ＤＶＤ（Ｄｉｇｉｔａｌ  Ｖｅｒｓａｔｉｌｅ  Ｄｉｓｋ）など）に切り替えるようにしても良い。さらに、デジタルラジオ放送からアナログラジオ放送に切り替えるか、別のソースに切り替えるか、切り替えを行わないようにするかの何れかをユーザが任意に選択して設定できるようにしても良い。
【００３８】
また、上記実施形態では、ユーザへの報知を表示部８への表示で行う例について説明したが、スピーカに音声で出力するようにしても良い。
また、上記実施形態では、アナログ／デジタル混在放送の例としてＩＢＯＣを挙げて説明したが、本発明はこれに限定されるものではない。すなわち、アナログ変調波のサイドバンドにデジタル変調波を追加したアナログ／デジタル混在放送であって、デジタル放送の受信が困難なエリアにおいてアナログ放送に切り替えるように成されたものであれば、何れにも適用可能である。
【００３９】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００４０】
【発明の効果】
本発明は上述したように、アナログ／デジタル混在放送のアナログ放送の内容とデジタル放送の内容と比較して両者が同じ内容であるか否かを監視し、両放送が同じ内容でないことが検出された場合には、デジタル放送からアナログ放送への切り替え時に、放送内容が異なることをユーザに報知するようにしたので、デジタル放送からアナログ放送への切り替わり時に、ＦＭキャプチャ現象の発生によって聞こえてくる放送内容が変わってしまっても、ユーザに与える違和感を最小限に抑制することができる。
【図面の簡単な説明】
【図１】本実施形態のキャプチャ処理装置を適用したアナログ／デジタル混在放送（ＩＢＯＣ放送）受信機の構成例を示すブロック図である。
【図２】本実施形態の比較器による比較動作をイメージ的に説明するための図である。
【図３】ＩＢＯＣデジタル音声放送のＦＭ／ＡＭスペクトラムを示す図である。
【図４】ＦＭキャプチャ現象を説明するための図である。
【符号の説明】
１  アンテナ
２  チューナ
３  アナログ放送デコーダ
４  デジタル放送デコーダ
５  記憶装置
６  マイコン
７  操作部
８  表示部
１１  アナログ復調回路
１２  切替スイッチ
１３  Ｄ／Ａ変換器
１４  Ａ／Ｄ変換器
１５  比較器
２１  デジタル復調回路
【図１】
2004282422.tif 000003
【図２】
2004282422.tif 000004
【図３】
2004282422.tif 000005
【図４】
2004282422.tif 000006